(57)【要約】      （修正有）【課題】ショッピング情報提供システム及びショッピング情報提供方法を提供する。【解決手段】第１ユーザが選択した１以上のカテゴリーの複数の商品情報のうち、第１ユーザが選択した１以上の商品情報としての第１商品情報を受信する受信部と、第１商品情報のうち１以上を選択した１人以上の第２ユーザ及び第２ユーザが選択した１以上のカテゴリーの複数の商品情報のうち、第２ユーザが選択した１以上の商品情報としての第２商品情報を検索する検索部と、第１ユーザ及び第２ユーザが共通して選択した第１商品情報としての第３商品情報について、第３商品情報を一定件数以上選択した１人以上の第２ユーザを、第１ユーザの関心友達として設定する設定部と、１以上の第３商品情報、第１商品情報から第３商品情報を除いた第４商品情報、または第２商品情報から第３商品情報を除いた第５商品情報のうち１以上の情報を第１ユーザに提供する制御部と、を含む。【選択図】図１
2016134172.tif 000002
【特許請求の範囲】
【請求項１】
ショッピングに係わって、第１ユーザの選択による１以上のカテゴリー情報に含まれる複数の商品情報のうち、前記第１ユーザの選択による１以上の商品情報としての第１商品情報を受信する受信部と、
前記第１商品情報のうち１以上を選択した１人以上の第２ユーザ、及び前記第２ユーザの選択による１以上のカテゴリー情報に含まれる複数の商品情報のうち、前記第２ユーザの選択による１以上の商品情報としての第２商品情報を検索する検索部と、
前記第１ユーザ及び前記第２ユーザが共通して選択した第３商品情報について、前記第３商品情報を一定件数以上選択した１人以上の前記第２ユーザを、前記第１ユーザの関心友達として設定する設定部と、
１以上の前記第３商品情報、前記第１商品情報から前記第３商品情報を除いた１以上の商品情報としての第４商品情報、または前記第２商品情報から前記第３商品情報を除いた１以上の商品情報としての第５商品情報のうち１以上の情報を、前記第１ユーザに提供する制御部と、
を含むことを特徴とするショッピング情報提供システム。
【請求項２】
前記設定部で設定した関心友達を、前記第１ユーザが選好友達に選択するように、前記関心友達の識別情報、及び前記関心友達に係わる１以上の商品情報を含む関心友達推薦情報を生成し、前記第１ユーザに提供する推薦部
をさらに含むことを特徴とする請求項１に記載のショッピング情報提供システム。
【請求項３】
前記制御部は、
前記第３商品情報が表示される領域の一部に、前記第３商品情報を、前記第１ユーザ、及び１人以上の前記関心友達が共通して選択したことを表示する第１インジケータ、並びに前記第３商品情報を共通して選択した前記関心友達に係わる累積カウント情報を含む第１関心情報を出力するか、
前記第４商品情報が表示される領域の一部に、前記第４商品情報を、前記第１ユーザが選択したことを表示する第２インジケータ、及び前記第４商品情報を選択したユーザに係わる累積カウント情報を含む第２関心情報を出力するか、あるいは
前記第５商品情報が表示される領域の一部に、前記第５商品情報を、前記第２ユーザが選択したことを表示する第３インジケータ、及び前記第５商品情報を選択したユーザに係わる累積カウント情報を含む第３関心情報を出力する
ことを特徴とする請求項１に記載のショッピング情報提供システム。
【請求項４】
前記制御部は、
前記第３商品情報が表示される領域の他の一部に、前記第３商品情報を共通して選択した前記関心友達の存在を示す１以上の第１識別情報を出力するか、
前記第４商品情報が表示される領域の他の一部に、前記第４商品情報を選択した１人以上のユーザが存在することを示す１以上の第２識別情報を出力するか、あるいは
前記第５商品情報が表示される領域の他の一部に、前記第５商品情報を選択した１人以上のユーザが存在することを示す１以上の第３識別情報を出力する
ことを特徴とする請求項１に記載のショッピング情報提供システム。
【請求項５】
前記制御部は、
前記第１識別情報ないし前記第３識別情報のうちいずれか１つの識別情報の選択信号の受信に対応して、選択信号を受信した前記識別情報に含まれるユーザまたは関心友達に係わる前記第３商品情報ないし第５商品情報を出力する
ことを特徴とする請求項４に記載のショッピング情報提供システム。
【請求項６】
前記制御部は、
前記第３商品情報ないし前記第５商品情報のうち、購買のためのいずれか１つの商品情報の選択信号の受信に対応して、選択信号を受信した前記商品情報に係わる販売情報及び前記商品情報を選択するか共通して選択した１人以上のユーザまたは関心友達の存在を示す１以上の第４識別情報を出力する
ことを特徴とする請求項１に記載のショッピング情報提供システム。
【請求項７】
前記制御部は、
前記第４識別情報の選択信号の受信に対応して、選択信号を受信した前記第４識別情報に含まれるユーザまたは関心友達に係わる前記第３商品情報ないし第５商品情報を出力する
ことを特徴とする請求項６に記載のショッピング情報提供システム。
【請求項８】
前記第１ユーザの要請によって、前記関心友達推薦情報から、前記第１ユーザの選択によって追加された１人以上の選好友達に係わる情報としての選好友達リストを生成し、前記第１ユーザに提供する生成部
をさらに含むことを特徴とする請求項２に記載のショッピング情報提供システム。
【請求項９】
前記生成部は、
前記選好友達のそれぞれについて、前記選好友達の識別情報、前記選好友達が選択した１以上の代表カテゴリー情報、前記第１ユーザ及び前記選好友達が共通選択した第３商品情報の累積カウント情報、並びに前記選好友達を選好友達として保存した他のユーザに係わる累積カウント情報のうち１以上を含む前記選好友達リストを生成し、前記第１ユーザに提供する
ことを特徴とする請求項８に記載のショッピング情報提供システム。
【請求項１０】
前記生成部は、
前記選好友達リストに含まれるいずれか１人の選好友達情報の選択信号の受信に対応して、選択された前記選好友達の識別情報、前記第１ユーザ及び前記選好友達が共通して選択した前記第３商品情報の累積カウント情報、前記選好友達の第４商品情報を選択した他のユーザに係わる累積カウント情報、前記選好友達を選好友達として保存した他のユーザに係わる累積カウント情報、前記選好友達が選択した１以上のカテゴリーのうち他のユーザが選択した１以上のカテゴリー情報、前記選好友達を選好友達として保存した他のユーザに係わる識別情報、前記選好友達が選好友達として保存した他のユーザに係わる識別情報、並びに前記選好友達に係わる前記第３商品情報ないし第５商品情報のうち１以上を生成して出力する
ことを特徴とする請求項９に記載のショッピング情報提供システム。
【請求項１１】
ショッピングに係わって、第１ユーザの選択による１以上のカテゴリー情報に含まれる複数の商品情報のうち、前記第１ユーザの選択による１以上の商品情報としての第１商品情報を受信する段階と、
前記第１商品情報のうち１以上を選択した１人以上の第２ユーザ、及び前記第２ユーザの選択による１以上のカテゴリー情報に含まれる複数の商品情報のうち、前記第２ユーザの選択による１以上の商品情報としての第２商品情報を検索する段階と、
前記第１ユーザ及び前記第２ユーザが共通して選択した第３商品情報について、前記第３商品情報を一定件数以上選択した１人以上の前記第２ユーザを、前記第１ユーザの関心友達として設定する段階と、
１以上の前記第３商品情報、前記第１商品情報から前記第３商品情報を除いた１以上の商品情報としての第４商品情報、または前記第２商品情報から前記第３商品情報を除いた１以上の商品情報としての第５商品情報のうち１以上の情報を、前記第１ユーザに提供する段階と、
を含むことを特徴とするショッピング情報提供方法。
【請求項１２】
前記設定した関心友達を、前記第１ユーザが選好友達に選択するように、前記関心友達の識別情報、及び前記関心友達に係わる１以上の商品情報を含む関心友達推薦情報を生成し、前記第１ユーザに提供する段階をさらに含む
ことを特徴とする請求項１１に記載のショッピング情報提供方法。
【請求項１３】
前記第３商品情報が表示される領域の一部に、前記第３商品情報を、前記第１ユーザ、及び１人以上の前記関心友達が共通して選択したことを表示する第１インジケータ、並びに前記第３商品情報を共通して選択した前記関心友達に係わる累積カウント情報を含む第１関心情報を出力する段階と、
前記第４商品情報が表示される領域の一部に、前記第４商品情報を、前記第１ユーザが選択したことを表示する第２インジケータ、及び前記第４商品情報を選択したユーザに係わる累積カウント情報を含む第２関心情報を出力する段階と、
前記第５商品情報が表示される領域の一部に、前記第５商品情報を、前記第２ユーザが選択したことを表示する第３インジケータ、及び前記第５商品情報を選択したユーザに係わる累積カウント情報を含む第３関心情報を出力する段階と、
をさらに含むことを特徴とする請求項１１に記載のショッピング情報提供方法。
【請求項１４】
前記第３商品情報が表示される領域の他の一部に、前記第３商品情報を共通して選択した前記関心友達の存在を示す１以上の第１識別情報を出力する段階と、
前記第４商品情報が表示される領域の他の一部に、前記第４商品情報を選択した１人以上のユーザが存在することを示す１以上の第２識別情報を出力する段階と、
前記第５商品情報が表示される領域の他の一部に、前記第５商品情報を選択した１人以上のユーザが存在することを示す１以上の第３識別情報を出力する段階と、
をさらに含むことを特徴とする請求項１１に記載のショッピング情報提供方法。
【請求項１５】
前記第１識別情報ないし前記第３識別情報のうちいずれか１つの識別情報の選択信号の受信に対応して、選択信号を受信した前記識別情報に含まれるユーザまたは関心友達に係わる前記第３商品情報ないし第５商品情報を出力する段階
をさらに含むことを特徴とする請求項１４に記載のショッピング情報提供方法。
【請求項１６】
前記第３商品情報ないし前記第５商品情報のうち、購買のためのいずれか１つの商品情報の選択信号の受信に対応して、選択信号を受信した前記商品情報に係わる販売情報及び前記商品情報を選択するか共通して選択した１人以上のユーザまたは関心友達の存在を示す１以上の第４識別情報を出力する段階と、
前記第４識別情報の選択信号の受信に対応して、選択信号を受信した前記第４識別情報に含まれるユーザまたは関心友達に係わる前記第３商品情報ないし第５商品情報を出力する段階と、
をさらに含むことを特徴とする請求項１１に記載のショッピング情報提供方法。
【請求項１７】
前記第１ユーザの要請によって、前記関心友達推薦情報から、前記第１ユーザの選択によって追加された１人以上の選好友達に係わる情報としての選好友達リストを生成し、前記第１ユーザに提供する段階をさらに含む
ことを特徴とする請求項１２に記載のショッピング情報提供方法。
【請求項１８】
前記選好友達のそれぞれについて、前記選好友達の識別情報、前記選好友達が選択した１以上の代表カテゴリー情報、前記第１ユーザ及び前記選好友達が共通選択した第３商品情報の累積カウント情報、並びに前記選好友達を選好友達として保存した他のユーザに係わる累積カウント情報のうち１以上を含む前記選好友達リストを生成し、前記第１ユーザに提供する段階を含む
ことを特徴とする請求項１７に記載のショッピング情報提供方法。
【請求項１９】
前記選好友達リストに含まれたいずれか１人の選好友達情報の選択信号の受信に対応して、選択された前記選好友達の識別情報、前記第１ユーザ及び前記選好友達が共通して選択した前記第３商品情報の累積カウント情報、前記選好友達の第４商品情報を選択した他のユーザに係わる累積カウント情報、前記選好友達を選好友達として保存した他のユーザに係わる累積カウント情報、前記選好友達が選択した１以上のカテゴリーのうち他のユーザが選択した１以上のカテゴリー情報、前記選好友達を選好友達として保存した他のユーザに係わる識別情報、前記選好友達が選好友達として保存した他のユーザに係わる識別情報、並びに前記選好友達に係わる前記第３商品情報ないし第５商品情報のうち１以上を生成して出力する段階
をさらに含むことを特徴とする請求項１８に記載のショッピング情報提供方法。
【請求項２０】
請求項１１ないし１９のうちいずれか１項に記載の方法をコンピュータに実行させるためのコンピュータプログラム。
【発明の詳細な説明】
【技術分野】
【０００１】
本発明は、ショッピング情報提供システム及びショッピング情報提供方法に関する。
【背景技術】
【０００２】
近来、オンラインショッピングモールにおいて商品を購買するユーザが急増しており、かようなオンラインショッピングモール事業市場が非常に速い速度で大きくなる状況であり、かような状況において、多くのオンラインショッピングモール間において、さらに多くのユーザを誘致するための競争は日増しに激しさを増している。
【０００３】
したがって、自分のオンラインショッピングモールサイトに、さらに多くのユーザが接続して商品を購買するように、オンラインショッピングモール運営者は、自分のオンラインショッピングモールサイトに接続したユーザに、他のオンラインショッピングモールサイトよりさらに多くの関心を抱かせるように、オンラインショッピングモールサイトに対する多角度の努力を傾けている。
【０００４】
なお、関連特許文献として、特許文献１がある。
【先行技術文献】
【特許文献】
【０００５】
【特許文献１】韓国公開特許第２００４−００５４７６６号公報
【発明の概要】
【発明が解決しようとする課題】
【０００６】
本発明は、前述の問題点及び／または限界を解決するために案出されたものであり、ショッピング情報提供システムが、ユーザ端末機に、ユーザの関心及び趣向による商品情報、並びにユーザの関心及び趣向に共感する他のユーザの商品情報を共にディスプレイすることにより、ユーザが自分の関心及び趣向と係わるさらに多くの商品を検索するようにし、ショッピング満足度を上昇させるところに一目的がある。
【０００７】
また、ショッピング情報提供システムが、ユーザ端末機に、ユーザの関心及び趣向による商品情報、並びにユーザの関心及び趣向に共感する他のユーザを関心友達として推薦し、ユーザが関心友達に係わる商品情報を検索するようにし、ユーザが無関心であったカテゴリー及び商品情報を、新たな関心カテゴリー及び商品情報として追加し、多様な商品を検索するようにし、ショッピング満足度を上昇させるところに他の目的がある。
【課題を解決するための手段】
【０００８】
本発明の一実施形態によるショッピング情報提供システムは、ショッピングと係わって、第１ユーザの選択による１以上のカテゴリー情報に含まれる複数の商品情報のうち、前記第１ユーザの選択による１以上の商品情報としての第１商品情報を受信する受信部；前記第１商品情報のうち１以上を選択した１人以上の第２ユーザ、及び前記第２ユーザの選択による１以上のカテゴリー情報に含まれる複数の商品情報のうち、前記第２ユーザの選択による１以上の商品情報としての第２商品情報を検索する検索部；前記第１ユーザ及び前記第２ユーザが共通して選択した第３商品情報について、前記第３商品情報を一定件数以上選択した１人以上の前記第２ユーザを、前記第１ユーザの関心友達として設定する設定部；及び１以上の前記第３商品情報、前記第１商品情報から前記第３商品情報を除いた１以上の商品情報としての第４商品情報、または前記第２商品情報から前記第３商品情報を除いた１以上の商品情報としての第５商品情報のうち１以上の情報を、前記第１ユーザに提供する制御部；を含んでもよい。
【０００９】
前記システムは、前記設定部で設定した関心友達を、前記第１ユーザが選好友達に選択するように、前記関心友達の識別情報、及び前記関心友達と係わる１以上の商品情報を含む関心友達推薦情報を生成し、前記第１ユーザに提供する推薦部をさらに含んでもよい。
【００１０】
前記制御部は、前記第３商品情報が表示される領域の一部に、前記第３商品情報を、前記第１ユーザ、及び１人以上の前記関心友達が共通して選択したことを表示する第１インジケータ、並びに前記第３商品情報を共通して選択した前記関心友達に係わる累積カウント情報を含む第１関心情報を出力するか、前記第４商品情報が表示される領域の一部に、前記第４商品情報を、前記第１ユーザが選択したことを表示する第２インジケータ、及び前記第４商品情報を選択したユーザに係わる累積カウント情報を含む第２関心情報を出力するか、あるいは前記第５商品情報が表示される領域の一部に、前記第５商品情報を、前記第２ユーザが選択したことを表示する第３インジケータ、及び前記第５商品情報を選択したユーザに係わる累積カウント情報を含む第３関心情報を出力することができる。
【００１１】
前記制御部は、前記第３商品情報が表示される領域の他の一部に、前記第３商品情報を共通して選択した前記関心友達の存在を示す１以上の第１識別情報を出力するか、前記第４商品情報が表示される領域の他の一部に、前記第４商品情報を選択した１人以上のユーザが存在することを示す１以上の第２識別情報を出力するか、あるいは前記第５商品情報が表示される領域の他の一部に、前記第５商品情報を選択した１人以上のユーザが存在することを示す１以上の第３識別情報を出力することができる。
【００１２】
前記制御部は、前記第１識別情報ないし前記第３識別情報のうちいずれか１つの識別情報の選択信号の受信に対応して、選択信号を受信した前記識別情報に含まれるユーザまたは関心友達に係わる前記第３商品情報ないし第５商品情報を出力することができる。
【００１３】
前記制御部は、前記第３商品情報ないし前記第５商品情報のうち、購買のためのいずれか１つの商品情報の選択信号の受信に対応して、選択信号を受信した前記商品情報に係わる販売情報及び前記商品情報を選択するか共通して選択した１人以上のユーザまたは関心友達の存在を示す１以上の第４識別情報を出力することができる。
【００１４】
前記制御部は、前記第４識別情報の選択信号の受信に対応して、選択信号を受信した前記第４識別情報に含まれるユーザまたは関心友達に係わる前記第３商品情報ないし第５商品情報を出力することができる。
【００１５】
前記システムは、前記第１ユーザの要請によって、前記関心友達推薦情報から、前記第１ユーザの選択によって追加された１人以上の選好友達に係わる情報としての選好友達リストを生成し、前記第１ユーザに提供する生成部をさらに含んでもよい。
【００１６】
前記生成部は、前記選好友達それぞれについて、前記選好友達の識別情報、前記選好友達が選択した１以上の代表カテゴリー情報、前記第１ユーザ及び前記選好友達が共通選択した第３商品情報の累積カウント情報、並びに前記選好友達を選好友達として保存した他のユーザに係わる累積カウント情報のうち１以上を含む前記選好友達リストを生成し、前記第１ユーザに提供することができる。
【００１７】
前記生成部は、前記選好友達リストに含まれたいずれか１人の選好友達情報の選択信号の受信に対応して、選択された前記選好友達の識別情報、前記第１ユーザ及び前記選好友達が共通して選択した前記第３商品情報の累積カウント情報、前記選好友達の第４商品情報を選択した他のユーザに係わる累積カウント情報、前記選好友達を選好友達として保存した他のユーザに係わる累積カウント情報、前記選好友達が選択した１以上のカテゴリーのうち他のユーザが選択した１以上のカテゴリー情報、前記選好友達を選好友達として保存した他のユーザに係わる識別情報、前記選好友達が選好友達として保存した他のユーザに係わる識別情報、並びに前記選好友達に係わる前記第３商品情報ないし第５商品情報のうち１以上を生成して出力することができる。
【００１８】
本発明の一実施形態によるショッピング情報提供方法は、ショッピングに係わって、第１ユーザの選択による１以上のカテゴリー情報に含まれる複数の商品情報のうち、前記第１ユーザの選択による１以上の商品情報としての第１商品情報を受信する段階と、前記第１商品情報のうち１以上を選択した１人以上の第２ユーザ、及び前記第２ユーザの選択による１以上のカテゴリー情報に含まれる複数の商品情報のうち、前記第２ユーザの選択による１以上の商品情報としての第２商品情報を検索する段階と、前記第１ユーザ及び前記第２ユーザが共通して選択した第３商品情報について、前記第３商品情報を一定件数以上選択した１人以上の前記第２ユーザを、前記第１ユーザの関心友達として設定する段階と、１以上の前記第３商品情報、前記第１商品情報から前記第３商品情報を除いた１以上の商品情報としての第４商品情報、または前記第２商品情報から前記第３商品情報を除いた１以上の商品情報としての第５商品情報のうち１以上の情報を、前記第１ユーザに提供する段階と、を含んでもよい。
【００１９】
前記方法は、前記設定部で設定した関心友達を、前記第１ユーザが選好友達に選択するように、前記関心友達の識別情報、及び前記関心友達に係わる１以上の商品情報を含む関心友達推薦情報を生成し、前記第１ユーザに提供する段階をさらに含んでもよい。
【００２０】
前記方法は、前記第３商品情報が表示される領域の一部に、前記第３商品情報を、前記第１ユーザ、及び１人以上の前記関心友達が共通して選択したことを表示する第１インジケータ、並びに前記第３商品情報を共通して選択した前記関心友達に係わる累積カウント情報を含む第１関心情報を出力する段階と、前記第４商品情報が表示される領域の一部に、前記第４商品情報を、前記第１ユーザが選択したことを表示する第２インジケータ、及び前記第４商品情報を選択したユーザに係わる累積カウント情報を含む第２関心情報を出力する段階と、前記第５商品情報が表示される領域の一部に、前記第５商品情報を、前記第２ユーザが選択したことを表示する第３インジケータ、及び前記第５商品情報を選択したユーザに係わる累積カウント情報を含む第３関心情報を出力する段階と、をさらに含んでもよい。
【００２１】
前記方法は、前記第３商品情報が表示される領域の他の一部に、前記第３商品情報を共通して選択した前記関心友達の存在を示す１以上の第１識別情報を出力する段階と、前記第４商品情報が表示される領域の他の一部に、前記第４商品情報を選択した１人以上のユーザが存在することを示す１以上の第２識別情報を出力する段階と、前記第５商品情報が表示される領域の他の一部に、前記第５商品情報を選択した１人以上のユーザが存在することを示す１以上の第３識別情報を出力する段階と、をさらに含んでもよい。
【００２２】
前記方法は、前記第１識別情報ないし前記第３識別情報のうちいずれか１つの識別情報の選択信号の受信に対応して、選択信号を受信した前記識別情報に含まれるユーザまたは関心友達に係わる前記第３商品情報ないし第５商品情報を出力する段階と、をさらに含んでもよい。
【００２３】
前記方法は、前記第３商品情報ないし前記第５商品情報のうち、購買のためのいずれか１つの商品情報の選択信号の受信に対応して、選択信号を受信した前記商品情報に係わる販売情報及び前記商品情報を選択するか共通して選択した１人以上のユーザまたは関心友達の存在を示す１以上の第４識別情報を出力する段階をさらに含んでもよい。
【００２４】
前記方法は、前記第４識別情報の選択信号の受信に対応して、選択信号を受信した前記第４識別情報に含まれるユーザまたは関心友達に係わる前記第３商品情報ないし第５商品情報を出力する段階をさらに含んでもよい。
【００２５】
前記方法は、前記第１ユーザの要請によって、前記関心友達推薦情報から、前記第１ユーザの選択によって追加された１人以上の選好友達に係わる情報としての選好友達リストを生成し、前記第１ユーザに提供する段階をさらに含んでもよい。
【００２６】
前記方法は、前記選好友達それぞれについて、前記選好友達の識別情報、前記選好友達が選択した１以上の代表カテゴリー情報、前記第１ユーザ及び前記選好友達が共通選択した第３商品情報の累積カウント情報、並びに前記選好友達を選好友達として保存した他のユーザに係わる累積カウント情報のうち１以上を含む前記選好友達リストを生成し、前記第１ユーザに提供する段階と、を含んでもよい。
【００２７】
前記方法は、前記選好友達リストに含まれたいずれか１人の選好友達情報選択信号受信に対応して、選択された前記選好友達の識別情報、前記第１ユーザ及び前記選好友達が共通して選択した前記第３商品情報の累積カウント情報、前記選好友達の第４商品情報を選択した他のユーザに係わる累積カウント情報、前記選好友達を選好友達として保存した他のユーザに係わる累積カウント情報、前記選好友達が選択した１以上のカテゴリーのうち他のユーザが選択した１以上のカテゴリー情報、前記選好友達を選好友達として保存した他のユーザに係わる識別情報、前記選好友達が選好友達として保存した他のユーザに係わる識別情報、並びに前記選好友達に係わる前記第３商品情報ないし第５商品情報のうち１以上を生成して出力する段階をさらに含んでもよい。
【００２８】
それ以外にも、本発明を具現するための他の方法、他のシステム及び前記方法を実行するためのコンピュータプログラムを記録するコンピュータ読み取り可能な記録媒体がさらに提供される。
【発明の効果】
【００２９】
本発明によれば、ショッピング情報提供システムが、ユーザ端末機に、ユーザの関心及び趣向による商品情報、並びにユーザの関心及び趣向に共感する他のユーザの商品情報を共にディスプレイすることにより、ユーザが自分の関心及び趣向に係わるさらに多くの商品を検索するようにし、ショッピング満足度を上昇させることができる。
【００３０】
また、ショッピング情報提供システムが、ユーザ端末機に、ユーザの関心及び趣向による商品情報、並びにユーザの関心及び趣向に共感する他のユーザを関心友達として推薦し、ユーザが関心友達に係わる商品情報を検索するようにし、ユーザが無関心であったカテゴリー及び商品情報を新たな関心カテゴリー及び商品情報として追加し、多様な商品を検索するようにし、ショッピング満足度を上昇させることができる。
【図面の簡単な説明】
【００３１】
【図１】本発明の一実施形態によるショッピング情報提供システムについて概略的に説明するために図示した図面である。
【図２】本発明の他の実施形態によるショッピング情報提供システムについて概略的に説明するために図示した図面である。
【図３】本発明のさらに他の実施形態によるショッピング情報提供システムについて概略的に説明するために図示した図面である。
【図４】本発明の一実施形態による、ユーザ端末機と、図１のショッピング情報提供システムとの関係を説明した図面である。
【図５】本発明の他の実施形態による、第１ユーザ端末機と、図１のショッピング情報提供システムとの関係を説明した図面である。
【図６】本発明のさらに他の実施形態による、第１ユーザ端末機と、図１のショッピング情報提供システムとの関係を説明した図面である。
【図７】本発明のさらに他の実施形態によるショッピング情報提供システムについて概略的に説明するために図示した図面である。
【図８】本発明の一実施形態によるショッピング情報提供システムが第１ユーザ端末機に提供するショッピング情報画面の例示図である。
【図９】本発明の一実施形態によるショッピング情報提供システムが第１ユーザ端末機に提供するショッピング情報画面の例示図である。
【図１０】本発明の一実施形態によるショッピング情報提供システムが第１ユーザ端末機に提供するショッピング情報画面の例示図である。
【図１１】本発明の一実施形態によるショッピング情報提供システムが第１ユーザ端末機に提供するショッピング情報画面の例示図である。
【図１２】本発明の一実施形態によるショッピング情報提供システムが第１ユーザ端末機に提供するショッピング情報画面の例示図である。
【図１３】本発明の一実施形態によるショッピング情報提供方法について説明するためのフローチャートである。
【発明を実施するための形態】
【００３２】
本発明の利点、特徴、及びそれらを達成する方法は、添付される図面と共に詳細に説明する実施形態を参照すれば、明確になるであろう。しかし、本発明は、以下で提示される実施形態に限定されるものではなく、互いに異なる多様な形態に具現され、本発明の思想及び技術範囲に含まれる全ての変換、均等物または代替物を含むものであると理解されなければならない。以下で提示される実施形態は、本発明の開示が完全にさせ、本発明が属する技術分野で当業者に発明の範疇を完全に知らせるために提供されるものである。本発明の説明において、関連公知技術についての具体的な説明が、本発明の要旨を不明確にすると判断される場合、その詳細な説明を省略する。
【００３３】
本出願で使用される用語は、単に特定の実施形態についての説明に使用されるものであり、本発明を限定する意図ではない。単数の表現は、文脈上明白に異なって意味しない限り、複数の表現を含む。本出願において、「含む」または「有する」というような用語は、本明細書上に記載される特徴、数字、段階、動作、構成要素、部品、またはそれらの組み合わせが存在するということを指定するものであり、一つまたはそれ以上の他の特徴、数字、段階、動作、構成要素、部品、またはそれらの組み合わせの存在または付加の可能性をあらかじめ排除するものではないと理解されなければならない。第１、第２のような用語は、多様な構成要素についての説明に使用されるが、構成要素は、このような用語によって限定されるものではない。このような用語は、１つの構成要素を他の構成要素から区別する目的のみに使用される。
【００３４】
一般的に、ショッピング情報内における「カテゴリー」とは、商品に共通する特徴を、上位から下位の順序で階層的に分類したものであり、大分類カテゴリー、中分類カテゴリー、小分類カテゴリーと表現される。
【００３５】
本明細書において、大分類カテゴリーとは、ショッピング情報提供システムが、ユーザ端末機のホーム画面に提供してディスプレイする商品に共通する特徴であり、例えば、女性衣類リスト、男性衣類リスト、ファッション雑貨リスト、出産／乳幼児リストのような類型商品についてのカテゴリーと、旅行リストや文化リストのような無形商品などを含むカテゴリーとを含んでもよい。ショッピング情報提供システムは、ユーザ端末機のホーム画面にディスプレイされた大分類カテゴリーの選択によって、大分類カテゴリーに含まれる１以上の商品情報をユーザ端末機上に共にディスプレイすることができる。
【００３６】
中分類カテゴリーとは、大分類カテゴリーのうちいずれか１つのリスト選択信号受信に対応して、ショッピング情報提供システムがユーザ端末機に提供してディスプレイする商品に共通する特徴であり、例えば、大分類カテゴリーのうち女性衣類リスト選択信号受信に対応して、ショッピング情報提供システムがユーザ端末機に提供してディスプレイする女性衣類についての全体リスト、上衣リスト、下衣リスト、ワンピース／セットリスト、アウターリスト、アンダーウエアリストなどを含んでもよい。ショッピング情報提供システムは、中分類カテゴリー選択によって、中分類カテゴリーに含まれる１以上の商品情報をユーザ端末機上に共にディスプレイすることができる。ここで、中分類カテゴリーリストの例について、大分類カテゴリーのうち女性衣類リスト選択に限定して説明しているが、大分類カテゴリーから選択されたリストによって、中分類カテゴリーリストは異なる。
【００３７】
小分類カテゴリーとは、中分類カテゴリーのうちいずれか１つのリスト選択信号受信に対応して、ショッピング情報提供システムがユーザ端末機に提供してディスプレイする商品に共通する特徴であり、例えば、中分類カテゴリーのうち下衣リスト選択信号受信に対応して、ショッピング情報提供システムがユーザ端末機に提供してディスプレイする女性衣類の下衣に係わるバギーパンツ、パターンパンツ、半ズボン、綿ズボンなどを含んでもよい。ショッピング情報提供システムは、小分類カテゴリー選択によって、小分類カテゴリーに含まれる１以上の商品情報をユーザ端末機上に共にディスプレイすることができる。ここで、小分類カテゴリーリストの例について、中分類カテゴリーのうち下衣リスト選択に限定して説明しているが、中分類カテゴリーから選択されたリストによって、小分類カテゴリーに含まれる商品販売情報は異なる。
【００３８】
以下、明細書全体において「カテゴリー」とは、前述において開示されるように、商品に共通する特徴を、上位から下位の順序に階層的に分類したものではない、大分類カテゴリー、中分類カテゴリー及び小分類カテゴリーを含む全体カテゴリーを細分化し、１つの画面上に水平に提供するものを含んでもよい。例えば、本実施形態において、ショッピング情報提供システムは、ユーザ端末機にカテゴリーをディスプレイするとき、大分類カテゴリーである女性衣類リスト、中分類カテゴリーである下衣リスト、及び小分類カテゴリーであるバギーパンツ、パターンパンツ、半ズボン、綿ズボンなどを１つの画面に水平にディスプレイすることができる。そのような大分類、中分類及び小分類のカテゴリーが水平に１画面にディスプレイされるために、ユーザは、商品情報検索時に、大分類カテゴリー−中分類カテゴリー−小分類カテゴリーの順序に移動する必要なく、１画面上において、所望の小分類カテゴリーを即座に選択して商品情報を検索することができるために、ユーザに便宜性を提供する。
【００３９】
以下、本発明による実施形態について、添付された図面を参照して詳細に説明するが、添付図面を参照しての説明において、同一であるか、あるいは対応する構成要素は、同一図面番号を付し、それについての重複説明は省略する。
【００４０】
図１は、本発明の一実施形態によるショッピング情報提供システムについて概略的に説明するために図示した図面である。図１を参照すると、ショッピング情報提供システム１００は、受信部１１０、検索部１２０、設定部１３０及び制御部１４０を含んでもよい。
【００４１】
ショッピング情報提供システム１００は、接続した第１ユーザの端末機に、前述のところで開示したカテゴリー情報をディスプレイすることができる。そして、受信部１１０は、ショッピングに係わって、第１ユーザの選択による１以上の小分類カテゴリー情報と、第１商品情報とを受信することができる。ここで、第１商品情報とは、第１ユーザが選択した小分類カテゴリー内の複数の商品情報のうち、第１ユーザによって選択された１以上の商品情報を含んでもよい。また、前記商品情報は、前記商品情報への関心、または前記商品情報に共感を表現することができる、例えば、関心ボタン、共感ボタンまたは「いいね」ボタンのうちいずれか一つが具備されている。前述において、第１ユーザによって選択された１以上の商品情報とは、第１ユーザが前記商品情報に含まれている関心ボタン、共感ボタンまたは「いいね」ボタンのうちいずれか１つのボタンを選択した１以上の商品情報を含んでもよい。例えば、第１ユーザ端末機の画面にディスプレイされたカテゴリー情報から、第１ユーザが、ジャンパー、ジーンズ及びバックパックを小分類カテゴリーから選択すれば、受信部１１０は、選択したジャンパー、ジーンズ、バックパック小分類カテゴリー情報を受信して保存することができる。そして、第１ユーザは、選択したジャンパー、ジーンズ、バックパックのような小分類カテゴリーに含まれる複数の商品情報を検索し、それらのうち、Ａジャンパー、Ｂジャンパー、Ａジーンズ、Ｂジーンズ、Ａバックパック、Ｂバックパックを選択すれば、受信部１１０は、第１ユーザが選択したＡジャンパー、Ｂジャンパー、Ａジーンズ、Ｂジーンズ、Ａバックパック、Ｂバックパックを第１商品情報として受信して保存することができる。
【００４２】
本実施形態において、第１ユーザが選択した小分類カテゴリー情報及び第１商品情報を、受信部１１０が受信して保存すると限定しているが、それは、説明の便宜のためのものであり、受信部１１０は、ショッピング情報提供システム１００に接続した全てのユーザ端末機に、前記のようなカテゴリー情報をディスプレイし、接続した全てのユーザが選択したカテゴリー情報、及び選択したカテゴリー情報のうち複数の商品情報のうちから選択した１以上の商品情報を受信して保存することができる。
【００４３】
検索部１２０は、受信部１１０が受信したユーザの選択カテゴリー情報及び選択商品情報から、第１ユーザが選択した第１商品情報のうち１以上を選択した１人以上の第２ユーザを検索することができる。第２ユーザの検索が完了すれば、検索部１２０は、第２ユーザの選択による１以上の小分類カテゴリー情報と、第２商品情報とを検索することができる。ここで、第２商品情報とは、選択１以上の第１商品情報を選択した履歴がある第２ユーザが選択した小分類カテゴリー内の複数の商品情報のうち、第２ユーザが選択した１以上の商品情報を含んでもよい。
【００４４】
例えば、検索部１２０は、第２ユーザが選択した小分類カテゴリー情報として、ジャンパー、ジーンズ、バックパック、野球帽及び時計を検索することができ、検索した小分類カテゴリーに含まれ、第２ユーザが選択した第２商品情報として、Ａジャンパー、Ｃジャンパー、Ａジーンズ、Ｃジーンズ、Ａバックパック、Ｃバックパック、Ａ野球帽、Ａ時計を検索することができる。
【００４５】
設定部１３０は、第１ユーザ及び第２ユーザが共通して選択した第３商品情報について、第３商品情報を一定件数以上選択した１人以上の第２ユーザを、前記第１ユーザの関心友達として設定することができる。ここで、第３商品情報とは、第１ユーザ及び第２ユーザが共通して選択した１以上の第１商品情報を含んでもよい。
【００４６】
例えば、設定部１３０は、第１ユーザが選択したＡジャンパー、Ｂジャンパー、Ａジーンズ、Ｂジーンズ、Ａバックパック、Ｂバックパックを含む第１商品情報、及び第２ユーザが選択したＡジャンパー、Ｃジャンパー、Ａジーンズ、Ｃジーンズ、Ａバックパック、Ｃバックパック、Ａ野球帽、Ａ時計を含む第２商品情報を比較し、Ａジャンパー、Ａジーンズ、Ａバックパックを第３商品情報として設定することができる。
【００４７】
設定部１３０は、第１ユーザの関心友達の設定条件として、第３商品情報を選択した件数を含んでもよいが、第３商品情報の選択件数が一定件数以上（例えば、３個）である１人以上の第２ユーザを、第１ユーザの関心友達として設定することができ、第３商品情報の選択件数が一定件数未満の第２ユーザを、第１ユーザの関心友達の設定から除くことができる。
【００４８】
制御部１４０は、設定部１３０において、第１ユーザの関心友達の設定が完了すれば、第１ユーザがショッピング情報提供システム１００に接続するたびに、第１ユーザ端末機のショッピングホーム画面に、１以上の第３商品情報ないし第５商品情報を出力することができる。
【００４９】
ここで、第３商品情報とは、前述のように第１ユーザ及び第２ユーザの選択した第１商品情報及び第２商品情報のうち、第１ユーザ及び第２ユーザが共通して選択した１以上の第１商品情報であって、例えば、Ａジャンパー、Ａジーンズ、Ａバックパックを含んでもよい。また、第４商品情報とは、第１ユーザ及び第２ユーザが選択した第１商品情報及び第２商品情報のうち、第１ユーザだけが選択した第１商品情報、すなわち、第１商品情報から第３商品情報を除いた１以上の商品情報、例えば、Ｂジャンパー、Ｂジーンズ、Ｂバックパックを含んでもよい。また、第５商品情報とは、第１ユーザ及び第２ユーザが選択した第１商品情報及び第２商品情報のうち、第２ユーザだけが選択した第２商品情報、すなわち、第２商品情報から第３商品情報を除いた１以上の商品情報、例えば、Ｃジャンパー、Ｃジーンズ、Ｃバックパック、Ａ野球帽、Ａ時計を含んでもよい。
【００５０】
選択的実施形態として、制御部１４０は、第３商品情報が表示される領域の一部に、第３商品情報を、第１ユーザ、及び１人以上の関心友達が共通して選択したことを表示する第１インジケータ、並びに第３商品情報を共通して選択した関心友達に係わる累積カウント情報を含む第１関心情報を出力することができる。ここで、関心友達に係わる累積カウント情報とは、第３商品情報を共通して選択した関心友達の総計である。また、関心友達の累積カウント情報から、第１ユーザは除かれる。また、制御部１４０は、第３商品情報が表示される領域の他の一部に、第３商品情報を共通して選択した関心友達の存在を示す１以上の第１識別情報を出力することができる。ここで、第１識別情報とは、関心友達を示す代表イメージを含んでもよい。制御部１４０において、第１識別情報出力時に、第１ユーザと共通して選択した第３商品情報の累積カウント件数が多い関心友達の第１識別情報が、優先順位で出力される。制御部１４０は、第１識別情報のうちいずれか１つの第１識別情報の選択信号の受信に対応して、選択された関心友達に係わる第３商品情報ないし第５商品情報を出力することができる。
【００５１】
選択的実施形態として、制御部１４０は、１以上の第３商品情報のうち、購買のためのいずれか１つの第３商品情報の選択信号の受信に対応して、選択された第３商品情報に係わる販売情報、及び第３商品情報を共通して選択した関心友達の存在を示す１以上の第４識別情報を出力することができる。ここで、第４識別情報は、前記第１識別情報と同一である。制御部１４０は、いずれか１つの前記第４識別情報の選択信号の受信に対応して、選択された第４識別情報に含まれる関心友達に係わる第３商品情報ないし第５商品情報を出力することができる。
【００５２】
選択的実施形態として、制御部１４０は、第４商品情報が表示される領域の一部に、第４商品情報について、第１ユーザだけが選択したことを表示する第２インジケータ、及び第４商品情報を選択した他のユーザに係わる累積カウント情報を含む第２関心情報を出力することができる。ここで、他のユーザに係わる累積カウント情報とは、第４商品情報を選択した他のユーザの総計である。他のユーザの累積カウント情報から、第２ユーザは除かれる。また、制御部１４０は、第４商品情報が表示される領域の他の一部に、第４商品情報を選択した他のユーザが存在することを示す１以上の第２識別情報を出力することができる。ここで、第２識別情報とは、他のユーザを示す代表イメージを含んでもよい。制御部１４０において、第２識別情報の出力時に、選択した第４商品情報の累積カウント件数が多いユーザの第２識別情報が、優先順位で出力される。制御部１４０は、第２識別情報のうちいずれか１つの第２識別情報の選択信号の受信に対応して、選択されたユーザに係わる第３商品情報ないし第５商品情報を出力することができる。
【００５３】
選択的実施形態として、制御部１４０は、１以上の第４商品情報のうち、購買のためのいずれか１つの第４商品情報の選択信号の受信に対応して、選択された第４商品情報に係わる販売情報、及び第４商品情報を選択した他のユーザが存在することを示す１以上の第４識別情報を出力することができる。ここで、第４識別情報は、前記第２識別情報と同一である。制御部１４０は、いずれか１つの第４識別情報の選択信号の受信に対応して、選択された第４識別情報に含まれるユーザに係わる第３商品情報ないし第５商品情報を出力することができる。
【００５４】
選択的実施形態として、制御部１４０は、第５商品情報が表示される領域の一部に、第５商品情報について、第２ユーザだけが選択したことを表示する第３インジケータ、及び第５商品情報を選択した他のユーザに係わる累積カウント情報を含む第３関心情報を出力することができる。ここで、他のユーザに係わる累積カウント情報とは、第５商品情報を選択した他のユーザの総計である。他のユーザの累積カウント情報から、第１ユーザは除かれる。また、制御部１４０は、第５商品情報が表示される領域の他の一部に、第５商品情報を選択した他のユーザが存在することを示す１以上の第３識別情報を出力することができる。ここで、第３識別情報とは、他のユーザを示す代表イメージを含んでもよい。制御部１４０において、第３識別情報の出力時に、選択した第５商品情報の累積カウント件数が多いユーザの第３識別情報が、優先順位で出力される。制御部１４０は、第３識別情報のうちいずれか１つの第３識別情報の選択信号の受信に対応して、選択されたユーザに係わる第３商品情報ないし第５商品情報を出力することができる。
【００５５】
選択的実施形態として、制御部１４０は、１以上の第５商品情報のうち、購買のためのいずれか１つの第５商品情報の選択信号の受信に対応して、選択された第５商品情報に係わる販売情報、及び第５商品情報を選択した他のユーザが存在することを示す１以上の第４識別情報を出力することができる。ここで、第４識別情報は、第３識別情報と同一である。制御部１４０は、いずれか１つの第４識別情報の選択信号の受信に対応して、選択された第４識別情報に含まれるユーザに係わる第３商品情報ないし第５商品情報を出力することができる。
【００５６】
このように、ショッピング情報提供システム１００がユーザ端末機にユーザの関心及び趣向による商品情報、並びにユーザの関心及び趣向に共感する他のユーザの商品情報を共にディスプレイすることにより、ユーザが自分の関心及び趣向に係わるさらに多くの商品を検索するようにし、ショッピング満足度を上昇させることができる。
【００５７】
図２は、本発明の他の実施形態によるショッピング情報提供システムについて概略的に説明するために図示した図面である。以下の説明において、図１についての説明と重複する部分は、その説明を省略する。図２を参照すると、ショッピング情報提供システム１００は、受信部１１０、検索部１２０、設定部１３０、制御部１４０及び推薦部１５０を含んでもよい。
【００５８】
図１において、制御部１４０は、第１ユーザがショッピング情報提供システム１００に接続するたびに、第１ユーザ端末機のショッピングホーム画面に、１以上の第３商品情報ないし第５商品情報を出力することができると開示した。しかし、図２において、制御部１４０は、１ユーザがショッピング情報提供システム１００に接続するたびに、第１ユーザ端末機のショッピングホーム画面に、１以上の第３商品情報ないし第５商品情報、及び推薦部１５０から伝送された１以上の関心友達推薦情報を出力することができる。
【００５９】
推薦部１５０は、１以上の関心友達推薦情報を生成して制御部１４０に伝送することができる。ここで、関心友達推薦情報は、設定部１３０で設定した関心友達を、第１ユーザが選好友達に選択するように、第１ユーザのショッピングホーム画面に提供される。第１ユーザが関心友達推薦情報を見て選好友達に選択すれば、ショッピング情報提供システム１００に接続するたびに、第１ユーザ端末機のショッピングホーム画面に追加された選好友達の選択カテゴリー、及び選択商品情報が反映された第３商品情報ないし第５商品情報がディスプレイされ、第１ユーザは、自分の関心及び趣向に係わるさらに多くの商品を検索し、ショッピング満足度を上昇させることができる。
【００６０】
また、関心友達推薦情報は、関心友達の識別情報、及び関心友達に係わる１以上の商品情報を含んでもよい。ここで、関心友達の識別情報は、関心友達を示す代表イメージ、関心友達、及び前記関心友達が選択した選好友達が共通して選択した第３商品情報の累積カウント情報、関心友達を選好友達として保存した他のユーザに係わる累積カウント情報、関心友達に係わる１以上の代表商品情報、並びに推薦関心友達であるということを示す推薦関心友達アイコンのうち１以上を含んでもよい。第１ユーザが関心友達推薦情報を見て選好友達として設定するように、推薦関心友達アイコンをクリックすれば、推薦関心友達アイコンは、選好友達アイコンに変更される。
【００６１】
図３は、本発明のさらに他の実施形態によるショッピング情報提供システムについて概略的に説明するために図示した図面である。以下の説明において、図１及び図２についての説明と重複する部分は、その説明を省略する。図３を参照すれば、ショッピング情報提供システム１００は、受信部１１０、検索部１２０、設定部１３０、制御部１４０、推薦部１５０及び生成部１６０を含んでもよい。
【００６２】
制御部１４０は、第１ユーザ端末機のショッピングホーム画面に、第１メニューを出力することができる。ここで、第１メニューは、第１ユーザの選択によって追加された１人以上の選好友達に係わる情報、例えば、選好友達リスト表示メニューを含んでもよい。制御部１４０が、第１ユーザから第１メニューの選択信号を受信すれば、生成部１６０に選好友達リストを要請し、生成部１６０から伝送された選好友達リストを、第１ユーザ端末機の画面に出力することができる。
【００６３】
生成部１６０は、制御部１４０の要請によって、選好友達リストを生成することができる。ここで、選好友達リストは、第１ユーザの選択によって追加された１人以上の選好友達を含んでもよく、選好友達リスト上には、各選好友達に係わる代表情報を出力することができる。ここで、代表情報は、選好友達の識別情報（例えば、関心友達を示す代表イメージ）、選好友達が選択した１以上の代表カテゴリー情報、第１ユーザ及び選好友達が共通して選択した第３商品情報の累積カウント情報、及び選好友達を選好友達として保存した他のユーザに係わる累積カウント情報のうち１以上を含んでもよい。
【００６４】
生成部１６０は、選好友達リストに含まれたいずれか１人の選好友達の代表情報の選択信号の受信に対応して、選択信号を受信した選好友達に係わる詳細情報を出力することができる。ここで、詳細情報は、選択信号を受信した選好友達の識別情報（例えば、関心友達を示す代表イメージ）、第１ユーザ及び選好友達が共通して選択した第３商品情報の累積情報、選好友達の第４商品情報を選択した他のユーザに係わる累積カウント情報、選好友達として保存した他のユーザに係わる累積カウント情報、選好友達が選択した１以上のカテゴリーのうち他のユーザが選択した１以上のカテゴリー情報、選好友達を選好友達として保存した他のユーザに係わる識別情報、選好友達が選好友達として保存した他のユーザに係わる識別情報、及び関心友達に係わる第３商品情報ないし第５商品情報のうち１以上を含んでもよい。
【００６５】
ここで、選好友達を選好友達として保存した他のユーザに係わる識別情報、及び選好友達が選好友達として保存した他のユーザに係わる識別情報のうちいずれか１つの識別情報についての第１ユーザ選択信号の受信に対応して、生成部１６０は、選択された識別情報に該当するユーザに係わる詳細情報を出力することができる。
【００６６】
図４は、本発明の一実施形態による、ユーザ端末機と、図１のショッピング情報提供システムとの関係について説明した図面である。図４を参照すれば、ショッピング情報提供システム１００は、インターネット及び／またはイントラネットのような有線及び／または無線の通信網を含むネットワークＮＷによって、複数のユーザ端末機Ｔ１，Ｔ２，Ｔ３，…，Ｔｎと接続されることができる。すなわち、前述のショッピング情報提供システム１００は、ユーザ端末機Ｔ１，Ｔ２，Ｔ３，…，Ｔｎと区別され、ユーザ端末機Ｔ１，Ｔ２，Ｔ３，…，Ｔｎと分離されたまま、ネットワークＮＷに接続される。
【００６７】
図５は、本発明の他の実施形態による、第１ユーザ端末機と、図１のショッピング情報提供システムとの関係について説明した図面である。図５を参照すれば、ショッピング情報提供システム１００は、第１ユーザ端末機Ｔ１内に含まれる。図示されていないが、ショッピング情報提供システム１００は、ユーザそれぞれの端末機に含まれる。第１ユーザ端末機Ｔ１内に、本実施形態のショッピング情報提供システム１００が含まれるようにする方法は、多様である。具体的な実施形態として、ネットワークＮＷを介して、ユーザそれぞれが端末機内にショッピング情報提供システム１００をインストールすることができ、例えば、ショッピング情報提供システム１００を１つのアプリケーション形態で、第１ユーザ端末機Ｔ１にインストールすることができる。他の具体的な実施形態として、第１ユーザ端末機Ｔ１に、オフラインを介して、ショッピング情報提供システム１００がインストールされる。しかし、それらは、例示的な形態であり、本発明は、それらに限定されるものではなく、ショッピング情報提供システム１００が第１ユーザ端末機Ｔ１内に多様な形態でインストールされる場合を含んでもよい。
【００６８】
図６は、本発明のさらに他の実施形態による、第１ユーザ端末機と、図１のショッピング情報提供システムとの関係について説明した図面である。図６を参照すれば、ショッピング情報提供システム１００の一部１００Ａは、第１ユーザ端末機Ｔ１内に含まれ、他の一部１００Ｂは、ネットワークＮＷを介して、第１ユーザ端末機Ｔ１と連結される。
【００６９】
例えば、図１ないし図３に図示されたショッピング情報提供システム１００の構成要素のうち、受信部１１０を含む一部１００Ａは、第１ユーザ端末機Ｔ１内に含まれる。ショッピング情報提供システム１００の一部１００Ａが、第１ユーザ端末機Ｔ１内に含まれるようにする方法は、図５の実施形態で説明した通りであるので、具体的な説明は省略する。また、図１ないし図３に図示されたショッピング情報提供システム１００の構成要素のうち、検索部１２０、設定部１３０、制御部１４０、推薦部１５０及び生成部１６０を含む他の一部１００Ｂは、ネットワークＮＷを介して、第１ユーザ端末機Ｔ１と接続される。
【００７０】
本実施形態では、ショッピング情報提供システム１００の検索部１２０、設定部１３０、制御部１４０、推薦部１５０及び生成部１６０が、一部１００Ｂとして第１ユーザ端末機Ｔ１とネットワークＮＷで接続される場合について説明したが、これは、１つの実施形態であり、本発明は、これに限定されるものではない。すなわち、ショッピング情報提供システム１００に含まれる複数個の構成要素のうち少なくともいずれか一つが選択的に、ネットワークＮＷによって、第１ユーザ端末機Ｔ１と接続される。
【００７１】
図７は、本発明のさらに他の実施形態によるショッピング情報提供システムについて概略的に説明するために図示した図面である。以下の説明において、図１ないし図６についての説明と重複する部分は、その説明を省略する。
【００７２】
図７を参照すれば、ショッピング情報提供システム１００は、ショッピング情報提供サーバ１００Ｓとして具現され、第１ユーザ端末機Ｔ１が、ネットワークＮＷを介して、ショッピング情報提供サーバ１００Ｓに接続される。また、ショッピング情報提供サーバ１００Ｓは、データベース２００Ｄ、及びデータベース２００Ｄに保存された情報を第１ユーザ端末機Ｔ１に提供するか、あるいはショッピング情報提供サーバ１００Ｓを介して、第１ユーザ端末機Ｔ１から受信した情報をデータベース２００Ｄに保存することができる。
【００７３】
第１ユーザ端末機Ｔ１は、ネットワークＮＷを介して、ショッピング情報提供サーバ１００Ｓに接続することができる装置であり、ハンドヘルド装置、スマートフォン、タップ、タブレットＰＣ（personal  computer）のようなモバイル端末でもある。第１ユーザ端末機Ｔ１は、ショッピング情報提供サーバ１００Ｓに接続し、１以上の第３商品情報ないし第５商品情報、１以上の関心友達推薦情報及び推薦友達リストを受信することができる。
【００７４】
ショッピング情報提供サーバ１００Ｓは、接続した全てのユーザ端末機にカテゴリー情報をディスプレイし、接続した全てのユーザが選択したカテゴリー情報、及び選択したカテゴリー情報のうち複数の商品情報のうちから選択した１以上の商品情報を受信し、データベース２００Ｄに保存することができる。ショッピング情報提供サーバ１００Ｓは、第１ユーザが接続すれば、第１ユーザが選択した第１商品情報のうち１以上を選択した１人以上の第２ユーザを検索し、検索した第２ユーザの選択による１以上の小分類カテゴリー情報に含まれる複数の商品情報のうち、第２ユーザの選択による１以上の商品情報としての第２商品情報を検索することができる。ショッピング情報提供サーバ１００Ｓは、第１ユーザ及び第２ユーザが共通して選択した第３商品情報についての累積カウント情報に基づいて、１人以上の第２ユーザを、第１ユーザの関心友達として設定することができる。ショッピング情報提供サーバ１００Ｓは、第１ユーザ端末機Ｔ１のショッピングホーム画面に、第３商品情報ないし第５商品情報、１以上の関心友達推薦情報及び選好友達リストを確認することができる第１メニューを提供することができる。ショッピング情報提供サーバ１００Ｓは、第１メニューの選択信号の受信によって、第１ユーザの選択によって追加された１人以上の選好友達リスト生成し、第１ユーザ端末機Ｔ１の画面に出力することができる。
【００７５】
図８ないし図１２は、本発明の一実施形態によるショッピング情報提供システムが、第１ユーザ端末機に提供するショッピング情報画面の例示図である。図８は、ショッピング情報提供システム１００が、第１ユーザ端末機Ｔ１に提供するカテゴリー選択要請画面の例示図である。図８を参照すれば、前述のように、カテゴリー選択要請画面に図示されたカテゴリー情報は、商品に共通する特徴を、上位から下位の順序に階層的に分類したものではない、大分類カテゴリー、中分類カテゴリー及び小分類カテゴリーを含む全体カテゴリーを細分化し、１つの画面上に水平にディスプレイされる。第１ユーザは、カテゴリー選択要請画面から、１以上の所望の小分類カテゴリーを選択することができ、選択した小分類カテゴリーに含まれる複数の商品情報のうち所望の商品情報を選択することができる。
【００７６】
図９は、ショッピング情報提供システム１００に接続した第１ユーザ端末機Ｔ１のショッピングホーム画面の例示図である。図９（ａ）及び図９（ｂ）を参照すれば、第１ユーザ端末機Ｔ１のショッピングホーム画面には、第３商品情報９１０、第４商品情報９２０、第５商品情報９３０、関心友達推薦情報９４０、カテゴリーライン９５０及びショッピングメニュー９６０を含んでもよい。
【００７７】
ショッピング情報提供システム１００は、第１ユーザ端末機Ｔ１のショッピングホーム画面に、第３商品情報を示す代表イメージ、第３商品情報について、第１ユーザ、及び１人以上の関心友達が共通して選択したことを表示する第１インジケータ、並びに第３商品情報を共通して選択した関心友達に係わる累積カウント情報を含む第１関心情報９１１、及び第３商品情報を共通して選択した関心友達を示す１以上の第１識別情報９１２を含む第３商品情報９１０を出力することができる。
【００７８】
ショッピング情報提供システム１００は、第１ユーザ端末機Ｔ１のショッピングホーム画面に、第４商品情報を示す代表イメージ、第４商品情報について、第１ユーザだけが選択したことを表示する第２インジケータ、及び第４商品情報を選択した他のユーザに係わる累積カウント情報を含む第２関心情報９２１、及び第４商品情報を選択したユーザを示す１以上の第２識別情報９２２を含む第４商品情報９２０を出力することができる。
【００７９】
ショッピング情報提供システム１００は、第１ユーザ端末機Ｔ１のショッピングホーム画面に、第５商品情報を示す代表イメージ、第５商品情報について、第２ユーザだけが選択したことを表示する第３インジケータ、及び第５商品情報を選択した他のユーザに係わる累積カウント情報を含む第３関心情報９３１、及び第５商品情報を選択したユーザを示す１以上の第３識別情報９３２を含む第５商品情報９３０を出力することができる。
【００８０】
ショッピング情報提供システム１００は、第１ユーザ端末機Ｔ１のショッピングホーム画面に関心友達を示す代表イメージ９４１、推薦関心友達であるということを示す推薦関心友達アイコン９４２、関心友達、及び前記関心友達が選好友達として保存した他のユーザが共通選択した第３商品情報の累積カウント情報９４３、関心友達が選好友達として保存した他のユーザに係わる累積カウント情報９４４、及び関心友達に係わる１以上の商品情報イメージ９４５を含む関心友達推薦情報９４０を出力することができる。
【００８１】
ショッピング情報提供システム１００は、第１ユーザ端末機Ｔ１のショッピングホーム画面に、カテゴリーライン９５０を出力することができる。ショッピング情報提供システム１００は、図８の関心カテゴリー選択要請画面上にディスプレイされたカテゴリーを、カテゴリーライン９５０の任意の位置に設定することができる。第１ユーザの操作によって、カテゴリーライン９５０上の任意の位置がタッチされると、ショッピング情報提供システム１００は、タッチされた地点に設定されたカテゴリーに該当する１以上の第３商品情報ないし第５商品情報を、第１ユーザ端末機Ｔ１に出力することができる。
【００８２】
ショッピング情報提供システム１００は、第１ユーザ端末機Ｔ１のショッピングホーム画面に、ショッピングメニュー９６０を出力することができる。ショッピングメニュー９６０は、第１ユーザの選択によって追加された１人以上の選好友達に係わる情報、例えば、選好友達リスト表示メニューとしての第１メニューを含んでもよい。第１メニュー選択に対応して、ショッピング情報提供システム１００は、第１ユーザ端末機Ｔ１に選好友達リスト関連情報を出力することができる。
【００８３】
図１０は、図９のショッピングホーム画面に図示された第３商品情報９１０ないし第５商品情報９３０のうち、任意の第３商品情報９１０の選択信号の受信によって、ショッピング情報提供システム１００が、第１ユーザ端末機Ｔ１に提供する第３商品情報９１０の販売画面の例示図である。図１０を参照すれば、ショッピング情報提供システム１００が提供する販売画面は、前記第３商品情報９１０を共通して選択した関心友達に係わる累積カウント情報１０１０、前記第３商品についてのイメージ１０２０、第３商品を第１ユーザと共通選択した関心友達を示す１以上の第４識別情報１０３０、価格情報１０４０を含んでもよく、さらに第３商品についての詳細な説明（図示せず）を出力することができる。ショッピング情報提供システム１００は、いずれか１つの第４識別情報１０３０の選択信号の受信に対応して、選択された第４識別情報に含まれる関心友達に係わる第３商品情報ないし第５商品情報を出力することができる。
【００８４】
図１１は、図９のショッピングホーム画面に図示されたショッピングメニュー９６０に含まれた選好友達リスト表示メニュー選択によって、ショッピング情報提供システム１００が、第１ユーザ端末機Ｔ１に提供する選好友達リストの画面の例示図である。図１１を参照すれば、選好友達リストは、第１ユーザの選択によって追加された１人以上の選好友達を含んでもよく、選好友達の識別情報（例えば、選好友達を示す代表イメージ）１１１０、選好友達が選択した１以上の代表カテゴリー情報１１２０、第１ユーザ及び選好友達が共通選択した第３商品情報の累積カウント情報１１３０、及び選好友達を選好友達として保存した他のユーザに係わる累積カウント情報１１４０のうち１以上を出力することができる。ここで、選好友達リスト上の選好友達は、優先順位が設定されて出力されるが、第１ユーザと共通選択した第３商品情報の累積情報が多い順に上位に出力される。
【００８５】
図１２は、図１１に図示された関心友達リストのうちいずれか１つの選好友達を選択すると、ショッピング情報提供システム１００が、選択された選好友達の詳細情報を、第１ユーザ端末機Ｔ１に提供する画面の例示図である。図１２を参照すれば、ショッピング情報提供システム１００は、図１２（ａ）に図示されているように、選好友達リストに含まれたいずれか１人の選好友達選択信号の受信に対応して、選択された選好友達に係わる識別情報（例えば、選好友達を示す代表イメージ）１２１０、第１ユーザ及び選好友達が共通して選択した第３商品情報の累積カウント情報１２２０、選好友達の第４商品情報を選択した他のユーザに係わる累積カウント情報１２３０、選好友達を選好友達として保存した他のユーザに係わる累積カウント情報１２４０、関心友達が選択した１以上のカテゴリーについて、他のユーザが選択した１以上のカテゴリー情報１２５０、選好友達を選好友達として保存した他のユーザに係わる識別情報１２６０、選好友達が選好友達として保存した他のユーザに係わる識別情報１２７０、並びに図１２（ｂ）に図示される関心友達に係わる第３商品情報ないし第５商品情報のうち１以上の商品情報１２８０を含んでもよい。また、ショッピング情報提供システム１００は、前記関心友達が、第１ユーザによって選択された選好友達であるということを示す選好友達アイコン１２９０を出力することができる。また、選好友達を選好友達として保存した他のユーザに係わる識別情報１２６０、及び選好友達が選好友達として保存した他のユーザに係わる識別情報１２７０のうちいずれか１つの識別情報についての第１ユーザ選択信号の受信に対応して、ショッピング情報提供システム１００は、選択された識別情報に該当するユーザに係わる情報を出力することができる。
【００８６】
図１３は、本発明の一実施形態によるショッピング情報提供方法について説明するためのフローチャートである。以下の説明において、図１ないし図１２についての説明と重複する部分は、その説明を省略する。図１３を参照すれば、ショッピング情報提供システム１００は、ショッピングに係わって、第１ユーザの選択による１以上のカテゴリー情報に含まれる複数の商品情報のうち、第１ユーザの選択による１以上の商品情報としての第１商品情報を受信する（Ｓ１０）。ここで、ショッピング情報提供システム１００は、接続した全てのユーザ端末機に、前述のようなカテゴリー情報をディスプレイし、接続した全てのユーザが選択したカテゴリー情報の複数の商品情報のうちから選択した１以上の商品情報を受信して保存することができる。
【００８７】
ショッピング情報提供システム１００は、受信したユーザの選択カテゴリー情報及び選択商品情報から、第１ユーザが選択した第１商品情報のうち１以上を選択した１人以上の第２ユーザを検索し、検索した第２ユーザの選択による１以上のカテゴリー情報に含まれる複数の商品情報のうち、第２ユーザの選択による１以上の商品情報としての第２商品情報を検索する（Ｓ２０）。
【００８８】
ショッピング情報提供システム１００は、第１ユーザ及び第２ユーザが共通選択した第３商品情報について、第３商品情報を一定件数以上選択した１人以上の第２ユーザを、前記第１ユーザの関心友達として設定する（Ｓ３０）。
【００８９】
ショッピング情報提供システム１００は、ユーザの関心友達の設定が完了すれば、第１ユーザがショッピング情報提供システム１００に接続するたびに、第１ユーザ端末機のショッピングホーム画面に、１以上の第３商品情報ないし第５商品情報を出力する（Ｓ４０）。
【００９０】
選択的実施形態として、ショッピング情報提供システム１００は、設定した関心友達を、第１ユーザが選好友達に選択するように、第１ユーザのショッピングホーム画面に関心友達推薦情報を出力することができる。第１ユーザが関心友達推薦情報を見て選好友達として選択すれば、ショッピング情報提供システム１００は、第１ユーザが接続するたびに、第１ユーザ端末機のショッピングホーム画面に選好友達が選択したカテゴリー、及び選択商品情報が反映された第３商品情報ないし第５商品情報を出力することができる。
【００９１】
選択的実施形態として、ショッピング情報提供システム１００は、選好友達リスト表示メニューを提供し、選好友達リスト表示メニュー選択信号の受信に対応して、選好友達リストを、第１ユーザ端末機の画面に出力し、選好友達の代表情報及び詳細情報を提供することができる。
【００９２】
一方、本発明は、コンピュータ読み取り可能な記録媒体に、コンピュータ読み取り可能なコードにより具現するのが可能である。コンピュータ読み取り可能な記録媒体は、コンピュータシステムによって読み取り可能なデータが保存される全種の記録装置を含む。
【００９３】
コンピュータ読み取り可能な記録媒体の例としては、ＲＯＭ（read only memory）、ＲＡＭ（random access memory）、ＣＤ（compact disc）−ＲＯＭ、磁気テープ、フロッピー（登録商標）ディスク、光データ保存装置などがあり、またキャリアウエーブ（例えば、インターネットを介した伝送）の形態で具現するものを含む。また、コンピュータ読み取り可能な記録媒体は、ネットワークに接続されるコンピュータシステムに分散され、分散方式でコンピュータ読み取り可能なコード保存されて実行される。そして、本発明を具現するための機能的な（functional）プログラム、コード及びコードセグメントは、本発明が属する技術分野のプログラマによって容易に推論されるであろう。
【００９４】
本発明の明細書（特に、特許請求の範囲）において、「前記」の用語及びそれと類似した指示用語の使用は、単数及び複数のいずれにも該当する。また、本発明において、範囲（range）を記載した場合、前記範囲に属する個別的な値を適用した発明を含むものであり（それに反する記載がなければ）、発明の詳細な説明に、前記範囲を構成する各個別的な値を記載した通りである。
【００９５】
本発明による方法を構成する段階について、明白に順序を記載するか、あるいは反対となる記載がなければ、前記段階は、適切な順序で実行される。本発明は、必ずしも前記段階の記載順序によって限定されるものではない。本発明において、全ての例または例示的な用語（例えば、など）の使用は、単に本発明について詳細に説明するためのものであり、特許請求の範囲によって限定されない以上、前記例または例示的な用語によって、本発明の範囲が限定されるものではない。また、当業者は、多様な修正、組み合わせ及び変更が、添付の特許請求の範囲またはその均等物の範囲内で、設計条件及びファクタによって構成されるということが分かるであろう。
【００９６】
したがって、本発明の思想は、前述の実施形態に限定して決定されるものではなく、特許請求の範囲だけではなく、その特許請求の範囲と均等であるか、あるいはそれから等価的に変更された全ての範囲は、本発明の思想の範囲内に属するものである。
【産業上の利用可能性】
【００９７】
本発明のショッピング情報提供システム及びショッピング情報提供方法は、例えば、オンラインショッピング関連の技術分野に効果的に適用可能である。
【符号の説明】
【００９８】
１００    ショッピング情報提供システム
１００Ｓ  ショッピング情報提供サーバ
１１０    受信部
１２０    検索部
１３０    設定部
１４０    制御部
１５０    推薦部
１６０    生成部
２００Ｄ  データベース
ＮＷ      ネットワーク
Ｔ１，Ｔ２，Ｔ３，…，Ｔｎ    ユーザ端末機
【図１】
2016134172.tif 000003
【図２】
2016134172.tif 000004
【図３】
2016134172.tif 000005
【図４】
2016134172.tif 000006
【図５】
2016134172.tif 000007
【図６】
2016134172.tif 000008
【図７】
2016134172.tif 000009
【図８】
2016134172.tif 000010
【図９】
2016134172.tif 000011
【図１０】
2016134172.tif 000012
【図１１】
2016134172.tif 000013
【図１２】
2016134172.tif 000014
【図１３】
2016134172.tif 000015